(57)【特許請求の範囲】
【請求項１】
観音開き式ドアを有する貨物車両において、ドアを閉じた後にドアの後部に立てて格納するテールゲートリフターにおいて、
車両の後部門構を構成し、観音開式ドアがヒンジ結合される側柱の後面に後方に向って突出させて取付けたロックバー取付ブラケット（１１）と、
ロックバー取付ブラケットの先端にこれと直交して取付けたロックバー（１３）と、
前記テールゲートリフターのフロアプレート（５）の側縁に横方向に出没自在に設けたスライドバー（１４）と、
スライドバーの端部にこれと直交して取付けられ、前記ロックバーが嵌る穴  （１５ｂ）を有するロックブラケット（１６）とからなり、
前記ドアの側縁に設けたガスケット（２）がドアの開閉時に前記ロックバー取付ブラケット（１１）の先端と干渉しないようにした
テールゲートリフターのロック装置。
【請求項２】
前記ロックバー取付ブラケット（１１）を前記側柱（３）の後面にボルト（１２）で結合し、前記ロックブラケット（１６）を前記スライドバー（１４）の端部にボルト（１７）で結合した請求項１記載のテールゲートリフターのロック装置。
【請求項３】
観音開き式ドアを有する貨物車両において、ドアを閉じた後にドアの後部に立てて格納するテールゲートリフターにおいて、
観音開式ドアの側部に後方に向って突出させて取付けたロックバー取付ブラケット（１１）と、
ロックバー取付ブラケットの先端にこれと直交して取付けたロックバー（１３）と、
前記テールゲートリフターのフロアプレート（５）の側縁に横方向に出没自在に設けたスライドバー（１４）と、
スライドバーの端部にこれと直交して取付けられ、前記ロックバーが嵌る穴  （１５）を有するロックブラケット（１６）とからなる、
テールゲートリフターのロック装置。
【発明の詳細な説明】
【０００１】
【発明の属する技術分野】
本発明は観音開き式リヤドアを有する貨物車両において、リヤドアを閉じた後、その後部に立てて収納するテールゲートリフターにおいて、このテールゲートリフターのロック装置とリヤドアのヒンジ取付側端縁部に設けたガスケットとが開閉時に互に干渉し、ガスケットが破損することのないようにしたテールゲートリフターのロック装置に関するものである。
【０００２】
【従来の技術】
図６（ａ）は従来型テールゲートリフターのロック装置Ｒ´及びその近傍の平面視である。同じく（ｂ）は（ａ）の左側面図である。図６で、１は車両のリヤドア（以下単に「ドア」という）である。ドア１の側部端縁にはドアガスケット２が設けられ、ドアを閉めた状態では、これが後部門構を構成する側柱３に接し、雨水の進入を防いでいる。
【０００３】
さて、このようなドア１は車両後部の側柱３に取付けたヒンジのヒンジピン４のまわりに約２７０°開閉自在に取り付けられている。５はドア１の後部に収納されているテールゲートリフターのフロアプレートで、ドア後部に格納した時はハンドル６を図５の状態にして、ロックバー７を矢印方向（図の左方向）に押し出し、側柱３に固設されたロックブラケット８内に進入させてこれをロックする。逆にテールゲートリフター５を使用するときは、手動で図の開（上方）の位置までハンドル６を回動し、ロックバー７をロックブラケット８から図の右側に引込ませてロックを解くようになっている。
【０００４】
このようなロック装置Ｒ´においては、図５（ｂ）の拡大図に示すごとく、ハット型をしたロックブラケット８が側柱３から車両の後方に向って突出している。しかも平面視でヒンジピン４がロックブラケット８の外側に位置している。したがって図６に示すごとく、ドア１がヒンジピン４のまわりに回って開閉されるとき、その側縁に設けたドアガスケット２の先端部２ａが図６の２点鋭線で示す円形軌跡Ｐ´のごとく動き、回動中に、ロックブラケット８の突出端と干渉する。この結果、長時間使用していると、雨水の浸入を防止すべき重要なガスケット２が損傷する。
【０００５】
図６で明らかなように、テールゲートリフターのフロアプレート５の側縁には、断面コ字型の型材９が嵌装され、この中にロックバー７が横方向に出没自在に取付けられている。
【０００６】
ロックブラケット８には、テールゲートリフターをドアの後部に格納するときの衝撃をさけるための緩衝用の弾性ゴム１０がボルト１０ａで設けられているので、これ又ガスケットの先端が干渉する。
【０００７】
【発明が解決しようとする課題】
従来型ロック装置は、車両の後方に向って突出するロックブラケット８等があり、これがドア側に設けたガスケットの先端と干渉することによって生ずるガスケットの損傷問題を解決することを目的とする。
【０００８】
【課題を解決するための手段】
▲１▼観音開き式ドアを有する貨物車両において、ドアを閉じた後にドアの後部に立てて格納するテールゲートリフターにおいて、車両の後部門構を構成し、観音開式ドアがヒンジ結合される側柱の後面に後方に向って突出させて取付けたロックバー取付ブラケット１１と、ロックバー取付ブラケットの先端にこれと直交して取付けたロックバー１３と、前記テールゲートリフターのフロアプレート５の側縁に横方向に出没自在に設けたスライドバー１４と、スライドバーの端部にこれと直交して取付けられ、前記ロックバーが嵌る穴１５ｂを有するロックブラケット１６とからなり、前記ドアの側縁に設けたガスケット２がドアの開閉時に前記ロックバー取付ブラケット１１の先端と干渉しないようにした。
▲２▼また、▲１▼の構成において、前記ロックバー取付ブラケット１１を前記側柱３の後面にボルト１２で結合し、前記ロックブラケット１６を前記スライドバー１４の端部にボルト１７で結合した。
▲３▼そして、▲１▼のロック装置の応用として、観音開き式ドアを有する貨物車両において、ドアを閉じた後にドアの後部に立てて格納するテールゲートリフターにおいて、観音開式ドアの側部に後方に向って突出させて取付けたロックバー取付ブラケット１１と、ロックバー取付ブラケットの先端にこれと直交して取付けたロックバー１３と、前記テールゲートリフターのフロアプレート５の側縁に横方向に出没自在に設けたスライドバー１４と、スライドバーの端部にこれと直交して取付けられ、前記ロックバーが嵌る穴１５を有するロックブラケット１６とでロックするようにした。
【０００９】
【発明の実施の形態】
図１（ａ）は本発明を実施したドア後部の平面図、同じく（ｂ）は（ａ）の左側面図である。１１は側柱３の後部に固着したロックバー取付ブラケットで、ボルト１２で側柱３の後面に固定されている。ロックバー取付ブラケット１１の先端にはこれと直交して内向きのロックバー１３が固定されている。
【００１０】
テールゲートリフターのフロアプレート５の側縁に設けたコ字形型材９内に、スライドバー１４が横方向に出没自在に取付けられている。スライドバー１４の端には、これと直交して前記ロックバー１３が嵌まる角穴１５ａを持ったロックブラケット１６がボルト１７で固定されている。
【００１１】
図１（ａ）で判るように、４はドア１のヒンジピンで、平面視で、このピンを備えたヒンジはロックバー取付ブラケット１１の内側位置にある。このため、ドアガスケット２の先端２ａの回転軌跡Ｐを、図６に示す回転軌跡Ｐ´の半径に比し、それだけ小さくすることができる。
【００１２】
図２に示す如く、ロックバー１３の嵌る穴１５ｂはスライドバー１４の先端を挿入する角穴１５ａと連続して穿設され、角穴１５ａと穴１５ｂとでダルマ型に構成される。
【００１３】
図３はロックブラケット１６とスライドバー１４の改変例を示し、中央位置  （ロ）のものは、ロックバー１３の嵌る穴とスライドバー１４の嵌る穴が別々に設けられている。（イ）に示すものはＬ字形に曲げ加工したスライドバーの直角折曲部にロックバー１３の嵌る穴が設けられている。又（ハ）に示すものは符号１８で示す部分を削り落して（イ）と同様の構成にしたものである。
【００１４】
〔応用例〕
図４は図１に示したロック装置Ｒの応用例である。図で明らかなように、この例では、ロック装置を構成するロックバー取付ブラケット１１が側柱３に取付けられないで、ドア１の側部に取付けられている。
この構成であるとテールゲートリフターの使用時には、ドア１はヒンジの回転軸となるヒンジピン４のまわりに回転し、図４（ｂ）の位置まで開放できる。この場合には巾の狭いフロアプレート５を使用するのに適している。
【００１５】
【発明の効果】
▲１▼請求項１により、ヒンジピンをロックバー取付ブラケットの内側に設けたので、ドアガスケット先端の回転軌跡Ｐを小さくできる。従って、ロックバー取付ブラケットの後方への突出量を小さくできるので、ドアの端縁に設けたガスケットとロックバー取付ブラケットとの干渉がなくなった。
▲２▼請求項２により、ゲートバー取付ブラケットあるいはロックブラケットをそれぞれボルト結合できるので、既製車両に対しても容易に取付けることができる。
▲３▼又請求項３の構成により、幅狭のフロアプレートへの対応が可能となる。即ちロック装置がドア側に取付けられているので、幅狭のフロアプレートでも、このドアに取付けられたロック装置に対しロックできる。
【図面の簡単な説明】
【図１】本発明のロック装置を示し、（ａ）は平面図、（ｂ）は（ａ）の左側面図。
【図２】ロック装置の分解詳細図。
【図３】スライドバーの改変例。
【図４】本発明の応用例。
【図５】公知ロック装置。
【図６】公知ロック装置の斜視図。
【符号の説明】
Ｒ  ロック装置
１  ドア                        ２  ドアガスケット
2a  （ドアガスケットの）先端    ３  側柱
４  ヒンジピン
５  （テールゲートリフターの）フロアプレート
６  ハンドル                    ７  ロックバー
８  ロックブラケット            ９  （コ字型の）型材
10  弾性ゴム                    11  ロックバー取付ブラケット
12  ボルト                      13  ロックバー
14  スライドバー                15a 角穴
15b 穴                          16  ロックブラケット
17  ボルト                      18  削り落した部分
【図１】
0004261004.tif 000002
【図２】
0004261004.tif 000003
【図３】
0004261004.tif 000004
【図４】
0004261004.tif 000005
【図５】
0004261004.tif 000006
【図６】
0004261004.tif 000007